(57)【要約】【課題】フロアキャビネット型のキッチンユニットにおいて、作業領域を照らす照明装置を設けると共に、電気部品を収納できるようにする。【解決手段】キッチンユニットＵの上面部における手前側が作業領域２になされ、その奥側に一段高く形成したカウンター部１を設ける。カウンター部１の上面に照明装置１０を設け、下側の収納空間Ｓに制御器１１、電気配線１４を収納する。照明装置１０が作業領域２に近くなるので、作業領域２を十分な光量で照らせる。照明装置１０に付属する電気部品を下側の収納空間Ｓに配設するので、これらが水に濡れるおそれがなくなり安全性に優れる。また電気配線等を外部に露出させないから美観性・意匠性が高まる。収納空間Ｓは給水管６Ａや排水管６Ｂの収納部として利用可能なので、作業領域２下側のキャビネット空間Ｔを広い物品収納部にできる。【選択図】      図２
2005040370.tif 000002
【特許請求の範囲】
【請求項１】
手前側の作業領域よりも高く形成されたカウンター部が奥側に設けられ、カウンター部の下側に収納空間を有しているキッチンユニットであって、カウンター部に作業領域を照らす照明装置が配置され、照明装置の制御器及び／又は電気配線がカウンター部下側の収納空間に配設されていることを特徴とする照明付きキッチンユニット。
【請求項２】
照明装置をカウンター部の上面に配置した請求項１に記載の照明付きキッチンユニット。
【請求項３】
照明装置をカウンター部における作業領域側の端縁に配置した請求項１に記載の照明付きキッチンユニット。
【請求項４】
カウンター部に作業領域側へ突出するオーバーハング部が形成され、照明装置をオーバーハング部の下面に配置した請求項１に記載の照明付きキッチンユニット。
【請求項５】
照明装置をカウンター部と作業領域との間に形成された立壁部に配置した請求項１に記載の照明付きキッチンユニット。
【請求項６】
前記キッチンユニットは、調理等を行う作業領域と食事等を行う非作業領域との間に設置される対面式キッチンユニットであって、作業領域と非作業領域との間にカウンター部が設けられている請求項１乃至５のいずれかに記載の照明付きキッチンユニット。
【請求項７】
前記キッチンユニットは、調理等を行う作業領域と食事等を行う非作業領域との間に設置される対面式キッチンユニットであって、作業領域と非作業領域との間にカウンター部が設けられ、照明装置がカウンター部の上面に配置され、前記照明装置は、作業領域と非作業領域の両方を照らすことが可能に構成されると共に、作業領域と非作業領域とで照明態様を異ならせた請求項１に記載の照明付きキッチンユニット。
【発明の詳細な説明】
【技術分野】
【０００１】
本発明は、床上に設置されるフロアキャビネット型のキッチンユニットに照明装置を取り付けたものに関する。
【背景技術】
【０００２】
特許文献１に記載される如く、台所に設置されるキッチンユニットは、シンクやガスコンロを備え床上に設置されるフロアキャビネットや、フロアキャビネットの上方に設置される吊り戸棚等のアッパーキャビネットなどから構成される。この種のキッチンユニットにおいて、フロアキャビネット上面のワークトップを照らす照明装置は、アッパーキャビネットの下面に取り付けられることが多い。しかるにアッパーキャビネットの下面に取り付けられる照明装置は、フロアキャビネットから比較的離れて設置されるため、フロアキャビネットのワークトップを明るく照らすのが難しい場合がある。
【０００３】
上記問題の解決のため、特許文献１に、フロアキャビネットのワークトップより上に延び上端に物品載置用のカウンタを形成した立上げ壁を設け、この立上げ壁に、ワークトップを照らす照明装置を配置するという構成が提案されている。かかる構成により、ワークトップを近くから照らすことができるので、手元に十分な明るさを確保した状態で調理等種々の作業を行えるから、使い勝手が大幅に向上する、とされている。また特許文献１には、調理室と居室との間に設置される対面式キッチンユニットに上記技術を適用することも記載されており、調理室と居室とを仕切る壁に、ワークトップを照らす照明装置を配置している。
【０００４】
なお特許文献２にも、対面式キッチンユニットにおけるカウンターの下面側に照明装置（手元灯）を配置することが記載されている。特許文献２では、上記照明装置がキッチン側のワークトップ（天面部）を照らすと共に、反キッチン側に対しては反射光で間接照明となるとされている。
【特許文献１】特開２００１−０８７０６０公報
【特許文献２】特開２００２−０００３６８公報
【発明の開示】
【発明が解決しようとする課題】
【０００５】
特許文献１及び特許文献２には、キッチンユニットにおける作業領域（ワークトップ、天面部等）を照らす照明装置を、カウンターの下面側に配置することが記載されているが、この照明装置の電気配線や、インバータ等の制御器の収納場所について全く考慮されていない。また対面式キッチンユニットに適用した場合に、特許文献１の照明装置はリビング等の非作業領域を照らすものではなく、特許文献２の照明装置は、台所等の作業領域とリビング等の非作業領域とで照明状態をそれほど変化させるものではないから、室内演出効果に乏しかった。
【課題を解決するための手段】
【０００６】
本発明が前記問題を解決するために採用した照明付きキッチンユニットの特徴は、手前側の作業領域よりも高く形成されたカウンター部が奥側に設けられ、カウンター部の下側に収納空間を有しているキッチンユニットであって、カウンター部に作業領域を照らす照明装置を配置し、照明装置の制御器及び／又は電気配線をカウンター部下側の収納空間に配設したことである。
【０００７】
なお前記照明付きキッチンユニットに於いて、照明装置の配置は、カウンター部の上面とするほか、カウンター部における作業領域側の端縁、カウンター部に形成した作業領域側へ突出するオーバーハング部の下面、カウンター部と作業領域との間に形成された立壁部等が挙げられる。
【０００８】
ところで本発明は、調理等を行う作業領域と食事等を行う非作業領域との間に設置される対面式キッチンユニットに適用することが可能であり、この場合、作業領域と非作業領域との間に、照明装置が配置されるカウンター部を設ける。
【０００９】
さらに本発明を対面式キッチンユニットに適用する場合、作業領域と非作業領域との間にカウンター部を設け、照明装置をカウンター部の上面に配置し、前記照明装置を作業領域と非作業領域の両方を照らすことが可能に構成すると共に、作業領域と非作業領域とで照明態様を異ならせる構成とすることが可能である。
【発明の効果】
【００１０】
本発明に係る照明付きキッチンユニットは、作業領域の奥側に設けたカウンター部に照明装置を配置したので、照明装置が作業領域に近くなり、作業領域を明るく照らせる。また、下側の収納空間に照明装置の制御器及び／又は電気配線を配設するようにしたので、制御器・電気配線が水と接触するのを防止できるから安全性が高まると共に、制御器・電気配線を外部に露出させないようにできるから、見栄えが向上する。
【００１１】
また本発明を対面式キッチンユニットに適用した場合は、作業領域と非作業領域とを同時に照明することが可能である。さらに、カウンター部上面に配置した照明装置により、作業領域と非作業領域の両方を異なる態様で照明するようにした場合は、演出性に優れた室内照明効果が得られる。
【発明を実施するための最良の形態】
【００１２】
［第１の実施形態］
図１及び図２に、本発明を適用したキッチンユニットＵの一例を示す。このキッチンユニットＵは台所等に設置されるフロアキャビネット型のものであって、上面部における手前側が、吐水栓４を備えるシンク３や、ガスコンロ５等の加熱調理器を設けた作業領域２になされ、その奥側に一段高く形成したカウンター部１を有している。
【００１３】
本発明に係る照明付きキッチンユニットＵは、カウンター部１の下側に収納空間Ｓを有すること、カウンター部１の上面に照明装置１０を設けたこと、及び、カウンター部１下側の収納空間Ｓに照明装置１０の制御器１１のほか、電源プラグ１２やスイッチ１３が接続される電気配線１４を収納したことを特色としている。照明装置１０の種類は特に限定されないが、作業領域２を効率よく照らすことができ、且つ、使用者に眩しくないようなものとすることが望ましい。また照明装置１０のカウンター部１上面における配置は、作業領域２のシンク３やコンロ５との位置関係を考慮して、適切な位置を設定する。
【００１４】
前記照明付きキッチンユニットＵによれば、照明装置１０が作業領域２の近くに配置されるので、作業領域２を十分な光量で照らすことができ、調理・食器洗い等の作業性を向上させる。しかも、照明装置１０に付属する制御器１１や電気配線１４等の電気部品をカウンター部１下側の収納空間Ｓに配設するので、これらが水に濡れて漏電や劣化を起こすおそれがなくなり、安全性に優れる。また電気配線等を外部に露出させないから、美観性・意匠性を高めることができる。
【００１５】
なお本例のように、収納空間Ｓは、吐水栓４に接続する給水管６Ａや、シンク３に接続される排水管６Ｂの収納部として利用することができ、この場合は、作業領域２の下側のキャビネット空間Ｔが広い物品収納部となり、その結果、例えば図面に例示するような引き出し１５，１５を設けることも可能となる。
【００１６】
［第２の実施形態］
本発明の実施にあたり、照明装置１０の配置を変更することが可能である。図３及び図４は、カウンター部１の端縁に作業領域２側へ突出するオーバーハング部１ａを形成し、このオーバーハング部１ａの下面に照明装置１０を取り付けたものである。本例は、照明装置１０が作業領域２に接近するから、作業領域２を明るく照らすことができる。また、照明装置１０はオーバーハング部１ａの下面なので、使用者に眩しく感じさせることが少なくなる。
【００１７】
［第３，第４，第５の実施形態］
照明装置１０は、図５（Ａ）に示すように、カウンター部１における作業領域２に臨む端縁に取り付けることが可能であり、あるいは同図（Ｂ）に示す如く、カウンター部１と作業領域２との間に形成される立壁部７に、照明装置１０を配置することもできる。さらには図６の如く、カウンター部１における作業領域２に臨む端縁の一部を切り欠き、この切欠部に照明装置１０を組み込む構成も考えられる。
【００１８】
いずれの実施形態においても、制御器１１や電気配線１４は、カウンター部１下側の収納空間Ｓに収めることができるから、安全性、美観性に優れた照明付きキッチンユニットＵを提供することができる。
【００１９】
［第６の実施形態］
図７は、本発明を、調理等を行うキッチン側と食事等を行うリビング側との間に設置されるフロアキャビネット型の対面式キッチンユニットＵに適用した場合の実施形態を例示するものである。この対面式キッチンユニットＵは、キッチン側に臨むワークトップ等の作業領域２と、リビング側に臨むダイニングカウンター等の非作業領域１６との間に、照明装置１０が設置されるカウンター部１を設けたものであり、カウンター部１は、作業領域２及び非作業領域１６よりも一段高く形成されている。但し、非作業領域１６については、カウンター部１と同一高さに設定することも可能である。
【００２０】
本実施形態は、カウンター部１の上面に配置した照明装置１０が、作業領域２及び非作業領域１６の両方を照らすことができ、且つ、作業領域２と非作業領域１６とで照明態様が異なるように構成したところを特色とする。例えば、図３（Ａ）は、照明装置１０のカバーにおける作業領域２側に面する部分１０ａと、非作業領域１６側に面する部分１０ｂとで、色調や光透過度を異ならせることにより、作業領域２側はなるべく明るい照明となり、非作業領域１６はおちついた穏やかな照明となるように設定したものである。また同図（Ｂ）は、照明装置１０が二つの光源Ｋ，Ｋを備えるものとし、この光源Ｋ，Ｋの種類を変えることで、作業領域２と非作業領域１６との照明態様が異なるように設定したものである。
【００２１】
本例のように、作業領域２側と非作業領域１６側とで照明態様を変えることにより、演出性に優れた室内照明効果を上げることが可能となる。
【００２２】
［第７の実施形態］
本発明は、カウンター部１の下側に形成した収納空間Ｓに、照明装置１０のインバータ等の制御器１１や電気配線１４を収納するものであるから、これら電気部品の点検・修理・交換等のメンテナンスを行うための点検口を設けることが望ましい。これは例えば、図８に示すように、カウンター部１下側の収納空間Ｓと、作業領域２下側のキャビネット空間Ｔとを区画する仕切り壁１７を設けた場合は、この仕切り壁１７に点検口８と蓋９とを設ければよい。
【００２３】
あるいは図９に示す如く、照明装置１０，電源プラグ１２，スイッチ１３等に接続される電気配線１４をカウンター部１下側の収納空間Ｓに通し、制御器１１は作業領域２下側のキャビネット空間Ｔの底部に配設した場合は、キャビネット空間Ｔの底部付近に区画底板１７を設け、この区画底板１７に点検口８と蓋９とを設ければよい。
【産業上の利用可能性】
【００２４】
従来であれば、照明装置を取り付けるためにアッパーキャビネットやウォールキャビネット等が必要であったが、これらは背が高いので圧迫感が有り、物品の出し入れが困難であるという欠点があった。これに対し本発明によれば、アッパーキャビネットやウォールキャビネット等を必要としないから、圧迫感が無く使い勝手の良いキッチンユニットを提供することができる。
【図面の簡単な説明】
【００２５】
【図１】本発明の第１の実施形態を示すキッチンユニットの斜視図である。
【図２】本発明の第１の実施形態を示すキッチンユニットの側面断面図である。
【図３】本発明の第２の実施形態を示すキッチンユニットの斜視図である。
【図４】本発明の第２の実施形態を示すキッチンユニットの側面断面図である。
【図５】図（Ａ）は本発明の第３の実施形態を示すキッチンユニットの要部の側面断面図、図（Ｂ）は本発明の第４の実施形態を示すキッチンユニットの要部の側面断面図である。
【図６】本発明の第５の実施形態を示すキッチンユニットの斜視図である。
【図７】本発明の第６の実施形態に関するものであって、図（Ａ）（Ｂ）は共に対面式キッチンユニットの要部を示す側面図である。
【図８】本発明の第７の実施形態を示すキッチンユニットの側面断面図である。
【図９】本発明の第７の実施形態の異なる態様を示すキッチンユニットの側面断面図である。
【符号の説明】
【００２６】
Ｕ…キッチンユニット
１…カウンター部
２…作業領域
３…シンク
４…吐水栓
５…ガスコンロ
６Ａ…給水管
６Ｂ…排水管
１０…照明装置
１１…制御器
１２…電源プラグ
１３…スイッチ
１４…電気配線
１５…引き出し
Ｓ…収納空間
Ｔ…キャビネット空間
【図１】
2005040370.tif 000003
【図２】
2005040370.tif 000004
【図３】
2005040370.tif 000005
【図４】
2005040370.tif 000006
【図５】
2005040370.tif 000007
【図６】
2005040370.tif 000008
【図７】
2005040370.tif 000009
【図８】
2005040370.tif 000010
【図９】
2005040370.tif 000011